(57)【特許請求の範囲】
【請求項１】
第１の留め具部品（１）および第２の留め具部品（２）を含むロッキング可能な折り畳み式留め具を有し、閉鎖カバー（５）およびロッキング機構を備える、第１のストラップの半分（７）と第２のストラップの半分（９）とを含むストラップを閉じるための折り畳み式締結具であって、前記第１のストラップの半分（７）は前記第１の留め具部品（１）に固定され、前記第２のストラップの半分（９）は前記閉鎖カバー（５）に固定され、前記第２の留め具部品（２）は回転式の態様で第１の留め具部品（１）を前記閉鎖カバー（５）に接続し、前記留め具部品（１、２）が長手方向の伸びおよび／または曲げに対して実質的に剛性であり、前記ロッキング機構が、前記第２の留め具部品（２）上に固定される少なくとも１つの鉤爪（４．１、４．２）と、前記第１の留め具部品（１）上の少なくとも１つの対応の形状（１．１、１．２）とを含み、ロッキングされた状態で、前記少なくとも１つの鉤爪（４．１、４．２）が前記少なくとも１つの対応の形状（１．１、１．２）の上に係合し、こうして、前記第１の留め具部品（１）と前記第２の留め具部品（２）との間に確実かつ可逆的な接続をもたらし、
前記少なくとも１つの鉤爪（４．１、４．２）が前記第２の留め具部品（２）の自由端上に回転式の蝶番状の態様で固定されることを特徴とする、折り畳み式締結具。
【請求項２】
前記留め具部品（１、２）が厚く、頑丈であることを特徴とする、請求項１に記載の折り畳み式締結具。
【請求項３】
２つの前記留め具部品（１、２）が回転式の蝶番状の態様で端部同士が相互接続されることを特徴とする、請求項１または２に記載の折り畳み式締結具。
【請求項４】
２つの前記留め具部品（１、２）とその蝶番状の接続とが互いに適合されているので、これらは折り畳まれた状態で実質的に連続的なユニットを形成することを特徴とする、請求項３に記載の折り畳み式締結具。
【請求項５】
前記第２の留め具部品（２）の自由端の中央の、上方に曲がった形状（２．１）の両側にピン（６）によって回転式に固定される２つの鉤爪（４．１、４．２）を含み、前記第１の留め具部品（１）が前記２つの鉤爪（４．１、４．２）に対応する２つの上方に曲がった形状（１．２、１．１）を有することを特徴とする、請求項１から４のいずれか１つに記載の折り畳み式締結具。
【請求項６】
前記２つの鉤爪が付加的な接続ピン（４．３）または接続ウェブによって相互接続されることを特徴とする、請求項５に記載の折り畳み式締結具。
【請求項７】
前記閉鎖カバー（５）が回転式の蝶番状の態様で第２の留め具部品（２）に固定されることを特徴とする、請求項１から６のいずれか１つに記載の折り畳み式締結具。
【請求項８】
前記少なくとも１つの鉤爪（４．１、４．２）と前記閉鎖カバー（５）とが同じピン（６）によって回転式の態様で前記第２の留め具部品（２）に固定されることを特徴とする、請求項１または７に記載の折り畳み式締結具。
【請求項９】
前記折り畳み式留め具のロッキングシステムが、前記閉鎖カバー（５）を持ち上げる力が前記閉鎖カバー（５）の前端（５．１３）に与えられることによって取外し可能であることを特徴とする、請求項１から８のいずれか１つに記載の折り畳み式締結具。
【請求項１０】
前記閉鎖カバー（５）を持ち上げる力が前記閉鎖カバー（５）の前記前端（５．１３）に与えられない限り前記折り畳み式留め具のロッキングシステムの解除を防ぐように前記少なくとも１つの鉤爪（４．１、４．２）が設計され、位置決めされることを特徴とする、請求項９に記載の折り畳み式締結具。
【請求項１１】
前記第１のストラップの半分（７）が回転式の蝶番状の態様で前記第１の留め具部品（１）上の前記少なくとも１つの対応の形状（１．１、１．２）に固定されることを特徴とする、請求項１から１０のいずれか１つに記載の折り畳み式締結具。
【請求項１２】
前記第２のストラップの半分（９）が回転式の蝶番状の態様で前記閉鎖カバー（５）に固定されることを特徴とする、請求項１から１１のいずれか１つに記載の折り畳み式締結具。
【請求項１３】
ロッキングされた状態で前記第１のストラップの半分（７）の締結部と前記第２のストラップの半分（９）の締結部とが前記閉鎖カバー（５）の真下に位置し、前記鉤爪（４．１、４．２）の前端がストラップ部材（７．２、７．３）と同じ外観を有し、これは、ストラップが前記閉鎖カバー（５）の下を途切れずに通過するという印象を与えることを特徴とする、請求項１から１２のいずれか１つに記載の折り畳み式締結具。
【請求項１４】
前記少なくとも１つの鉤爪（４．１、４．２）の位置を前記第１の留め具部品（１）上の前記対応の形状（１．１、１．２）の位置に対して相対的にずらすことにより、前記少なくとも１つの鉤爪（４．１、４．２）と前記対応の形状（１．１、１．２）の係合によるロッキング圧力の微調整を可能とすることを特徴とする、請求項１から１３のいずれか１つに記載の折り畳み式締結具。
【請求項１５】
前記鉤爪（４．１、４．２）が弾力性のあることを特徴とする、請求項１から１４のいずれか１つに記載の折り畳み式締結具。
【請求項１６】
前記鉤爪（４．１、４．２）は、長円形のチューブで囲まれる内部の空隙を潰して作られる閉じた二重ストラップ形状に形成されることで、ばね特性を有することを特徴とする、請求項１５に記載の折り畳み式締結具。
【請求項１７】
前記閉鎖カバー（５）の上へと折りたたむ時に前記閉鎖カバー（５）に対して安全ロッキングをする安全カバー（５０）を含むことを特徴とする、請求項１から１６のいずれか１つに記載の折り畳み式締結具。
【発明の詳細な説明】
【０００１】
【発明の分野】
この発明は独立クレームの前提部分に従う折り畳み式締結具に関する。より特定的には、この発明はたとえば腕時計のために用いられるようなストラップを締結するための折り畳み式締結具に関する。
【０００２】
ストラップを締結するための２部品折り畳み式留め具を備えた折り畳み式締結具が知られている。２つの留め具部品の各々はピンによってそれらの一方の端部で相互接続される。各場合の他方の端部では、留め具部品が各場合の１つのストラップの半分につながれる。閉じた状態では、２つの留め具部品はともに折り畳まれ、実質的に互いに接するように位置する。これらはともにスナップ閉鎖による閉鎖キャップによって保持される。開いた状態では、２つの留め具部品は広げられ、ストラップの全体の直径を増大させ、したがって上述のストラップは手および手首に対して脱ぎ着され得る。
【０００３】
公知の折り畳み式締結具は、非常に平坦であり、したがって可撓かつ柔軟な留め具部品を有する。この可撓性のため、締結具のロッキングはある力および／またはトルクの作用の下で望ましくない態様で解除され得る。結果として生じる安全性の欠如が公知の折り畳み式締結具の欠点である。
【０００４】
従来の公知の折り畳み式締結具の別の欠点は、これが閉鎖カバーの何げない操作により開放され得ることである。カバーの前端、すなわち、ストラップに固定された腕時計の６時の方を指す端部が持ち上げられたときに折り畳み式締結具が開くことが意図される。しかしながら、ある状況では、閉鎖カバーの後端、すなわち、１２時の方を指す端部を持ち上げることによっても従来の折り畳み式締結具は開き得る。これは望ましくなく、また折り畳み式締結具の安全性を低下させる。
【０００５】
ある公知の折り畳み式締結具の場合、個々の構成要素が半田付けされる。半田付けによって、半田付けされた接合部および金属の近辺の金属の品質および外観が変化し、たとえば、ステンレス鋼がこのような接合部の近辺で酸化し、軟化し得る。これは望ましくないことである。
【０００６】
【発明の概要】
この発明の課題は、上述の欠点を防ぐ折り畳み式締結具を提供することである。半田接合の使用を未然に防ぎながら、安全性と芸術性とを組合わすことが意図される。
【０００７】
この課題は独立クレームに規定されるような折り畳み式締結具によって解決される。
【０００８】
この発明に従う折り畳み式締結具は２部品のロッキング可能な折り畳み式留め具と閉鎖カバーまたはキャップとを有する。２つの留め具部品は厚く、頑丈であり、したがってこれに対応して剛性である。これは外的作用の下での留め具部品の拡大および／または曲げと締結具ロッキングシステムの望ましくない解除とを防ぐ。
【０００９】
第１の留め具部品には第１のストラップの半分が固定され、閉鎖カバーには第２のストラップの半分が固定され、第２の留め具部品は第１の留め具部品と上述のカバーとをつなげる。第２の留め具部品と第１の留め具部品または閉鎖カバーとの間の接続は回転式であり、ボルト、ピンまたは蝶番によって有利に実施される。折り畳み式締結具の固定を行なうために、２つの留め具部品はまたロッキング機構によって確実かつ可逆的に相互接続可能である。この確実でかつ可逆的な接続は好ましくはスナップ閉鎖の形態であり、たとえば、第２の留め具部品の１つの自由端上の少なくとも１つの鉤爪が第１の留め具部品の自由端上の僅かに弾力のある対応の形状に係合することによる。この少なくとも１つの鉤爪は好ましくは、閉鎖カバーの後端が持ち上げられるときの折り畳み式締結具の開放を防ぐように設計され、位置決めされ、これは望ましくない開放に対するさらなる安全性を与える。
【００１０】
従来の折り畳み式締結具では閉鎖カバーはロッキングの目的のために重要であるが、この発明に従う折り畳み式締結具の場合では閉鎖カバーはそのために寄与しない。その技術機能はロッキングシステムの開放の援助に限られており、また留め具と第２のストラップの半分との間の接続を与える。さらに、閉鎖カバーは芸術的機能、すなわち閉じた状態で留め具を隠すという機能を有する。これは、カバーが単にストラップの上に置かれているかのように、ストラップが閉鎖カバーの下を途切れずに通過し、いかなる締結具によっても中断されていないような印象を生じる。この上品な印象を強めるため、上から見ると鉤爪はストラップ部材と同じ外観を有し得る。閉鎖カバーは両端で開いていてもよく、包まれた丸い端縁を側部で有するのみである。したがって、この発明に従う折り畳み式締結具は安全性と芸術性とを最適な対応で組合せる。
【００１１】
以下、この発明の折り畳み式締結具の好ましい実施例が図面を参照して詳細に説明される。この発明を説明するため、異なって開かれるかまたは分解された折り畳み式締結具の異なった図が示される。
【００１２】
【詳細な説明】
デカルト座標系（ｘ、ｙ、ｚ）がすべての図面に示され、ここで、ｘは腕時計のストラップが折り畳み式締結具の近辺に延びる長手方向を表わす。ここで構成要素の「前」端を参照すると、これは＋ｘ方向を指す端部を意味すると理解され、逆に「後」端は−ｘ方向を指す端部である。加えて、「上」は＋ｚ方向に関連づけられ、「下」は−ｚ方向である。
【００１３】
図１は、構成要素に分解されたこの発明の折り畳み式締結具の実施例を斜視図で示す。構成要素は好ましくは金属、たとえばステンレス鋼から作られるが、他の材料も可能である。この発明の折り畳み式締結具は、第１の留め具部品１と第２の留め具部品２とを含むロッキング可能な折り畳み式留め具を有する。２つの留め具部品１、２は厚く、すなわち、これらはｚ方向に比較的大きい伸び（extension ）を有し、したがって、これらはｘ方向の拡がり（expansion ）とｙ軸を中心とする曲げとに対して頑丈であり、硬い。このため、折り畳み式締結具は外的力および／またはトルクによる望ましくない開放に対して安全である。
【００１４】
第１の留め具部品１の前端は蝶番で第１の腕時計のストラップの半分７に接続される。この文書では、用語「腕時計のストラップの半分」は単にストラップの一部を意味し、ストラップの全長のちょうど半分またはストラップ部材の総数の半分を表わす必要はない。第１のストラップの半分７はストラップに固定された図示されない腕時計の６時の方を指し、いくつかのストラップ部材７．１−７．３の形態で部分的にのみ表わされる。最後のストラップ部材７．１は第１の留め具部品１の端部にある上方に曲げられた、すなわち、ｚ方向の２つの形状１．１、１．２の間にある。最後のストラップ部材７．１および形状１．１、１．２には孔１．３、１．４が設けられ、ピン８によって回転式に接続される。
【００１５】
２つの留め具部品１、２は蝶番の形状のその後端で回転式に互いに接続される。このような蝶番はたとえば２つの留め具部品１．２の後端に形状１．５、１．６、２．３を適合させることによって形成される。形状１．５、１．６、２．３には、ピン３が挿入され得る孔１．７、１．８、２．４が設けられる。
【００１６】
その自由な、すなわち前端では、２つの留め具部品１、２はこれらが確実かつ可逆的に相互接続され得るロッキング機構を有する。ここで説明される好ましい実施例では、ロッキング機構は第１の留め具部品１の前端で上方に曲げられた２つの形状１．１、１．２と、第２の留め具部品２の前端に固定され、かつ形状１．１、１．２にその位置に関して対応する２つの鉤爪４．１、４．２とを含む。鉤爪４．１、４．２の回転式の固定はこの実施例ではピン６を備えた蝶番の態様で行なわれ、ピン６は鉤爪４．１、４．２の孔４．１１、４．２１を通って係合され、鉤爪４．１、４．２の間に位置する第２の留め具部品２の上方に曲げられた形状２．１の孔２．２を通って係合される。
【００１７】
力が上から、すなわちｚ方向に鉤爪４．１、４．２および／または第２の留め具部品２に加えられ、対応の逆の力が第１の留め具部品１に作用すると、第１の留め具部品１上の形状１．１、１．２が始めに鉤爪４．１、４．２によって僅かに後ろ、すなわちｘ方向に曲げられる。鉤爪４．１、４．２の内部形状が再び形状１．１、１．２の僅かな前方移動をもたらすとすぐに、鉤爪４．１、４．２は形状１．１、１．２の上にパチンと締まり、これは２つの留め具部品１、２の間に確実な接続を与える。ロッキングされた留め具が特に図２から図４に示される。この接続は可逆的であり、第２の留め具部品２へのｚ方向の力と第１の留め具部品への対応の逆の力とによって解除できる。図２から図４は、ともに折り畳まれた状態で実質的に連続的なユニットを形成するように２つの留め具部品１、２とそれらの蝶番状の接続とがいかに適合されるかを示す。このユニットは僅かに彎曲した形状、潜在的なストラップ着用者の予期される腕の半径にほぼ対応する曲率半径ｒを有する。ストラップを着用する際、第１の留め具部品１は腕または手首上に位置する。
【００１８】
ロッキング機構はまた異なった態様で実現できる。第１の変形では、たとえば１つの中央鉤爪と第１の留め具部品１上の対応するわずか１つの中央形状とがあるのみであるが、第２の留め具部品２上の２つの形状があり得る。この変形はより簡単であろうが、安全性、安定性およびｘ軸を中心とする回転の面で図に示す好ましい実施例よりも好ましくない。第２の変形では、鉤爪は中央形状２．１と同じ態様で第２の留め具部品２から直接形成され得るが下方に曲げられる。第３の変形では、鉤爪は第１の留め具部品１に固定されるかまたはそこから成形され得る。これらの変形の組合せもまた当然ながら可能である。
【００１９】
この発明の好ましい実施例はまた、前および後、すなわちｘおよび−ｘ方向に好ましくは開いた閉鎖または締結具カバーあるいはキャップ５を有する。これは包まれた丸い端縁５．１、５．２を側部に有する。閉鎖カバーの第２の留め具部品２に対する回転式の固定は好ましくは鉤爪４．１、４．２を第２の留め具部品２に固定するために用いられる同じピン６で行なわれる。ピン６を受けるために、カバー５の２つの横端縁５．１、５．２には各場合の１つの孔５．３が設けられる。
【００２０】
閉鎖カバー５の端縁５．１、５．２はまた複数個のさらなる並列された孔５．５、５．７、５．９、５．１１を有する。これらは、再びいくつかのストラップ部材９．１−９．３の形態で部分的にのみ示される第２のストラップの半分９の回転式の固定のために用いられる。この第２のストラップの半分はストラップに固定された図示しない時計の１２時の方を指す。少なくとも後方、すなわち−ｘ方向に通常のストラップ部材と同じ外観を有する別個の端部部材９．４を設けることが可能である。このような端部部材はたとえば安定性および強度を高めるために有利であり得る。端部部材９．４はばねピン１０を受け、これはカバー５の孔５．５、５．７、５．９、５．１１に挿入され得る。数多くの孔５．５、５．７、５．９、５．１１がストラップ円周の微妙な設定を与える。
【００２１】
図５から図７は、開いているが完全には広げられていない状態のいくつかのストラップ部材を備えたこの発明の折り畳み式締結具の好ましい実施例の異なった図を示す。図７では、１つの鉤爪４．２が可視であるように部分的に透明である形態で閉鎖カバー５が示される。
【００２２】
図８から図１４はロッキングされた状態のこの発明の折り畳み式締結具の好ましい実施例のさまざまな図を示す。図９および図１３では、鉤爪４．２が可視であるように部分的に透明である形態で閉鎖カバー５が示される。これらの図は鉤爪４．１、４．２と閉鎖カバー５との機能的相互作用を特に明らかにする。鉤爪４．２はそのピン６の上にこれを越えて前方に、すなわちｘ方向に突出し、その上部４．２の形状はカバー５に適合される。この構成のため、ロッキングシステムが閉鎖カバー５の後端５．１２の（ｚ方向の）持ち上げによって開放できなくなる。ロッキングシステムの開放は閉鎖カバー５の前端５．１３を（ｚ方向に）持ち上げることによってのみ可能である。この目的のため、端部５．１３にはグリップとしての形状５．１４が設けられてもよい。しかしながら、この発明の折り畳み式締結具ではカバー５が実際のロッキングに寄与しないことが重要である。
【００２３】
図１１および図１４はロッキングされたこの発明の折り畳み式締結具によってシミュレートされた視覚的印象を特に明らかに示す。見る人には、ストラップ７、９が閉鎖カバー５の下を途切れずに通過し、閉鎖カバー５が単にストラップ７、９上に置かれているように思われる。この印象は２つの技術的方策から生じる。第１に、第１のストラップの半分７が固定される第１の留め具部品１上の形状１．１、１．２が上方、すなわちｚ方向に曲げられる。したがって、第１のストラップの半分７は第２のストラップの半分９と同様に閉鎖カバー５の真下に置かれる。言い換えると、第１のストラップの半分７の締結部と第２のストラップの半分９の締結部との間にはｚ方向に高さの差がない。さらに、鉤爪４．１、４．２の部分的に可視である前端がストラップ部材７．２、７．３と同じ外観を有する。ストラップ７、９が閉鎖カバー５の下を連続して通っているように見える幻覚は、カバーの前端および後端が開いている、すなわちストラップ７、９または鉤爪４．１、４．２を自由に見ることができるという事実によって強められる。
【００２４】
ロッキング圧力の微妙な設定のための機構を設けることが有利であり得る。このような機構で、鉤爪４．１、４．２を対応の形状１．１、１．２に対して少なくとも僅かな距離だけ実質的にｘ方向にずらすことが可能である。このような微妙な設定はたとえば図１５および図１６に示す態様で実現され得る。鉤爪４．１、４．２は、付加的な接続ピン４．３を受けることができるように変更された形状を有する。接続ピン４．３に接続される代わりに、鉤爪４．１、４．２が１つのピースから作られ、接続ウェブによってその後端で相互接続されてもよい。接続ピン４．３には、その前端がこの点で露出されたピン６に作用する止めねじ４．４がねじ込まれ得る。この変形では、孔４．１１、４．２１は僅かに楕円形であり、そのｘ方向の伸びはｚ方向の伸びよりも大きい。このように、鉤爪４．１、４．２はｘ方向に最大距離ｓだけずらすことができる。
【００２５】
止めねじ４．４を回転させることによって、鉤爪４．１、４．２は最終的には対応の形状１．１、１．２に対してｘ方向にずらされることができ、したがって、ロッキング圧力が微妙に設定または調節され得る。止めねじ４．４が前方に締められる、すなわちその端部がｘ方向にずらされるならば、ロッキング圧力が高まり、これは逆も同様である。
【００２６】
別の図示しない変形では、接続４．３が上述の鉤爪の間に必要でないように止めねじが各鉤爪４．１、４．２に嵌め込まれ得る。この発明の知識で、専門家は他の微妙な設定機構を容易に得ることができる。
【００２７】
たとえば図１７に示される折り畳み式締結具の別の好ましい実施例では、ロッキング機構は２つの弾性鉤爪４．１、４．２を含む。上述の弾性鉤爪はたとえば長円形のチューブから作られる。このような長円形のチューブはキャビティのまわりのストリップを形成する鉤爪４．１、４．２を生じるように変形される。有利なことに、各鉤爪は中央キャビティのまわりの閉じた二重ストリップを形成するように変形される。この二重ストリップは形状１．１、１．２の上にパチンとしまりながらばね特性を有する。鉤爪の弾性は選択されるチューブ材料の関数で変化し得る。この発明を知る当業者は弾性鉤爪を備えたこのようなロッキング機構の他の変形例を実現することができる。
【００２８】
図１８から図２３は折り畳み式締結具のさらに別の好ましい実施例の斜視図および側面図を示す。上述の折り畳み式締結具は図１から図１６に従うそれに対応するが、締結具の望ましくない開放を防ぐための安全カバー５０を有する。図１８および図２１は開いた安全カバーを備える開いた折り畳み式締結具を示し、図１９および図２２は開いた安全カバーを備える閉じた折り畳み式締結具を示し、図２０および図２３は閉じた安全カバーを備える閉じた折り畳み式締結具を示す。安全カバー５０を閉じるために、別のスナッピングが安全カバーを閉鎖カバー５の上に折り畳みながら生じる。安全カバー５０はたとえばピン６によってストラップ７上に可動に装着される。安全ロッキングはたとえば閉鎖カバー５の１つ以上の対応の凸部５．５０、５．５０′に対するスナップのために安全カバー５０の１つ以上の凹部５０．５、５０．５′を含む。この発明を知る当業者はこの発明の範疇から逸脱せずにこのような安全ロッキングの図示しない他の変形例を実現することができる。
【図面の簡単な説明】
【図１】折り畳み式締結具の本質的な構成要素の斜視図であり、締結具が構成要素の横移動によって分解されている図である。
【図２】ロッキング機構でロッキングされた留め具の斜視図である。
【図３】第２のストラップの半分の部材を備えた図２と同様の図である。
【図４】異なった角度からの図３と同様の図である。
【図５】ストラップ部材を備えた、開いた折り畳み式締結具の斜視図である。
【図６】異なった角度からの図５と同様の図である。
【図７】図５または図６の開いた折り畳み式締結具の側面図である。
【図８】ロッキングされた折り畳み式締結具の斜視図である。
【図９】部分的に透明な構成要素を備えた、図８のロッキングされた折り畳み式締結具の側面図である。
【図１０】付加的にストラップ部材を備えた図８と同様の図である。
【図１１】異なった角度からの図１０と同様の図である。
【図１２】図１０または図１１のロッキングされた折り畳み式締結具の側面図である。
【図１３】部分的に透明な構成要素を備えた図１２と同様の図である。
【図１４】図１０、図１１、図１２および図１３のロッキングされた折り畳み式締結具の平面図である。
【図１５】ロッキング圧力の微妙な設定のための機構を備えたロッキングされた折り畳み式締結具の一部の側面図である。
【図１６】図１５の折り畳み式締結具の一部の平面図である。
【図１７】弾性鉤爪を有するロッキング機構を備えた折り畳み式締結具の別の実施例の斜視図である。
【図１８】安全カバーを備えた開いた折り畳み式締結具の別の実施例の斜視図である。
【図１９】開いた安全カバーを備えたロッキングされた折り畳み式締結具の図１８と同様の図である。
【図２０】ロッキングされた安全カバーを備えたロッキングされた折り畳み式締結具の図１９と同様の図である。
【図２１】部分的に構成要素が透明である、図１８から図２０と同様の、安全カバーを備えた開いた折り畳み式締結具の別の実施例の側面図である。
【図２２】開いた安全カバーを備えたロッキングされた折り畳み式締結具の図２１と同様の図である。
【図２３】ロッキングされた安全カバーを備えたロッキングされた折り畳み式締結具の図２２と同様の図である。
【符号の説明】
１  第１の留め具部品
２  第２の留め具部品
４．１  鉤爪
４．２  鉤爪
５  閉鎖カバー
７  第１のストラップの半分
９  第２のストラップの半分
【図１】
0003836247.tif 000002
【図２】
0003836247.tif 000003
【図３】
0003836247.tif 000004
【図４】
0003836247.tif 000005
【図５】
0003836247.tif 000006
【図６】
0003836247.tif 000007
【図７】
0003836247.tif 000008
【図８】
0003836247.tif 000009
【図９】
0003836247.tif 000010
【図１０】
0003836247.tif 000011
【図１１】
0003836247.tif 000012
【図１２】
0003836247.tif 000013
【図１３】
0003836247.tif 000014
【図１４】
0003836247.tif 000015
【図１５】
0003836247.tif 000016
【図１６】
0003836247.tif 000017
【図１７】
0003836247.tif 000018
【図１８】
0003836247.tif 000019
【図１９】
0003836247.tif 000020
【図２０】
0003836247.tif 000021
【図２１】
0003836247.tif 000022
【図２２】
0003836247.tif 000023
【図２３】
0003836247.tif 000024